(57)【特許請求の範囲】
【請求項１】
車室内へ向かって空気が流れる空気通路を構成する空調ケース（１１）と、
前記空調ケース（１１）内に配置され、空気を冷却する冷却用熱交換器（１３）と、
前記空調ケース（１１）内において前記冷却用熱交換器（１３）の下流側部位に配置され、空気を加熱する加熱用熱交換器（１４）と、
前記空調ケース（１１）内に前記加熱用熱交換器（１４）と並列に形成され、前記冷却用熱交換器（１３）通過後の冷風が流れる冷風通路（１５）と、
前記加熱用熱交換器（１４）を通過する温風と前記冷風通路（１５）を通過する冷風との風量割合を調整して車室内吹出温度を調整する温度調整手段（１７、１８、３０）とを備え、
前記温度調整手段（１７、１８、３０）が最大冷房位置に操作されたときにも前記加熱用熱交換器（１４）に高温熱源流体が循環するようになっている車両用空調装置において、
前記加熱用熱交換器（１４）の空気流れ下流側空間部に、前記加熱用熱交換器（１４）と直接対向する開口部（１９）が配置され、
前記冷風通路（１５）からの冷風流れの主流が前記開口部（１９）に向かって前記加熱用熱交換器（１４）側へ傾くようになっており、
前記開口部（１９）を開閉するドア手段（２１）を有し、
前記開口部（１９）のうち前記冷風通路（１５）と反対側となる部位に前記加熱用熱交換器（１４）と直接対向する壁部（２１ｄ）が配置され、
前記壁部（２１ｄ）が前記ドア手段（２１）によって構成され、
更に、前記加熱用熱交換器（１４）の空気流れ下流側空間部に、前記温度調整手段（１７、１８、３０）が最大暖房位置に操作されたときに前記加熱用熱交換器（１４）からの温風吹出方向に沿うように仕切り板（２３）が配置され、
前記仕切り板（２３）の前記温風吹出方向の上流側端部は前記加熱用熱交換器（１４）の下流側コア面近傍に位置し、
これに対し、前記仕切り板（２３）の前記温風吹出方向の下流側端部は、前記ドア手段（２１）が前記開口部（１９）の中間開度の開口位置に操作されたときに前記壁部（２１ｄ）の前記冷風通路（１５）側の端部近傍に位置し、
前記仕切り板（２３）によって前記空気流れ下流側空間部を前記冷風通路（１５）側の領域（２４）と前記冷風通路（１５）と反対側の領域（２５）とに仕切ることを特徴とする車両用空調装置。
【請求項２】
車室内へ向かって空気が流れる空気通路を構成する空調ケース（１１）と、
前記空調ケース（１１）内に配置され、空気を冷却する冷却用熱交換器（１３）と、
前記空調ケース（１１）内において前記冷却用熱交換器（１３）の下流側部位に配置され、空気を加熱する加熱用熱交換器（１４）と、
前記空調ケース（１１）内に前記加熱用熱交換器（１４）と並列に形成され、前記冷却用熱交換器（１３）通過後の冷風が流れる冷風通路（１５）と、
前記加熱用熱交換器（１４）を通過する温風と前記冷風通路（１５）を通過する冷風との風量割合を調整して車室内吹出温度を調整する温度調整手段（１７、１８、３０）とを備え、
前記温度調整手段（１７、１８、３０）が最大冷房位置に操作されたときにも前記加熱用熱交換器（１４）に高温熱源流体が循環するようになっている車両用空調装置において、
前記加熱用熱交換器（１４）の空気流れ下流側空間部に、前記加熱用熱交換器（１４）と直接対向する開口部（１９、２７）が配置され、
前記冷風通路（１５）からの冷風流れの主流が前記開口部（１９、２７）に向かって前記加熱用熱交換器（１４）側へ傾くようになっており、
前記開口部（１９、２７）のうち前記冷風通路（１５）と反対側となる部位に前記加熱用熱交換器（１４）と直接対向する壁部（２１ｄ、２９）が配置され、
更に、前記加熱用熱交換器（１４）の空気流れ上流側空間部（１６）に、前記温度調整手段（１７、１８、３０）が最大暖房位置に操作されたときに前記加熱用熱交換器（１４）に流入する空気の流れ方向に沿うように仕切り板（２２）が配置され、
前記温度調整手段として回転可能な板状ドアにより構成された温風側エアミックスドア（１７）を有し、
前記仕切り板（２２）は、前記最大暖房位置における前記温風側エアミックスドア（１７）の背面に沿って配置され、
前記仕切り板（２２）によって前記空気流れ上流側空間部（１６）を前記冷風通路（１５）側の領域（１６ａ）と前記冷風通路（１５）と反対側の領域（１６ｂ）とに仕切ることを特徴とする車両用空調装置。
【請求項３】
前記空気流れ下流側の仕切り板（２３）と前記壁部（２１ｄ）との組み合わせにより、前記冷風通路（１５）と反対側の領域（２５）を前記冷風通路（１５）からの冷風流れと遮断することを特徴とする請求項１に記載の車両用空調装置。
【請求項４】
前記加熱用熱交換器（１４）の空気流れ上流側空間部（１６）に、前記温度調整手段（１７、１８、３０）が最大暖房位置に操作されたときに前記加熱用熱交換器（１４）に流入する空気の流れ方向に沿うように空気流れ上流側の仕切り板（２２）が配置され、
前記空気流れ上流側の仕切り板（２２）によって前記空気流れ上流側空間部（１６）を前記冷風通路（１５）側の領域（１６ａ）と前記冷風通路（１５）と反対側の領域（１６ｂ）とに仕切ることを特徴とする請求項１または３に記載の車両用空調装置。
【請求項５】
前記空気流れ上流側の仕切り板（２２）と前記空気流れ下流側の仕切り板（２３）が前記加熱用熱交換器（１４）に対して傾斜配置され、
前記空気流れ上流側の仕切り板（２２）と前記空気流れ下流側の仕切り板（２３）が、前記加熱用熱交換器（１４）を挟んで前記複数の領域（１６ａ、１６ｂ、２４、２５）の配置方向で部分的にラップすることを特徴とする請求項４に記載の車両用空調装置。
【請求項６】
前記空気流れ上流側空間部（１６）は、前記加熱用熱交換器（１４）の空気流れ上流側コア面と、前記最大冷房位置における前記温度調整手段（１７、１８、３０）との間に形成される空間であり、
前記空気流れ上流側の仕切り板（２２）は、前記加熱用熱交換器（１４）の空気流れ上流側コア面と、前記最大冷房位置における前記温度調整手段（１７、１８、３０）との間に挟み込まれるように配置されることを特徴とする請求項４または５に記載の車両用空調装置。
【請求項７】
前記空気流れ上流側空間部（１６）は、前記加熱用熱交換器（１４）の空気流れ上流側コア面と、前記最大冷房位置における前記温風側エアミックスドア（１７）との間に形成される空間であり、
前記空気流れ上流側の仕切り板（２２）は、前記加熱用熱交換器（１４）の空気流れ上流側コア面と、前記最大冷房位置における前記温風側エアミックスドア（１７）との間に挟み込まれるように配置されることを特徴とする請求項２に記載の車両用空調装置。
【請求項８】
前記加熱用熱交換器（１４）は、前記高温熱源流体が流れる多数本のチューブ（１４ａ）を有し、
前記チューブ（１４ａ）の長手方向と前記仕切り板（２２、２３）の板面の方向とが同一方向であることを特徴とする請求項１ないし７のいずれか１つに記載の車両用空調装置。
【請求項９】
前記加熱用熱交換器（１４）の空気流れ下流側部位のうち前記冷風通路（１５）側の端部付近に、前記冷風通路（１５）からの冷風流れを前記開口部（１９）側へ向かうようにガイドする空気ガイド板（２６）が配置されていることを特徴とする請求項１ないし８のいずれか１つに記載の車両用空調装置。
【請求項１０】
前記開口部（１９）を開閉するドア手段（２１）を有することを特徴とする請求項２または７に記載の車両用空調装置。
【請求項１１】
（旧１３）
前記ドア手段は、前記開口部（１９）へ向かう空気流れと直交する方向へ移動するスライドドア（２１）であり、
前記壁部（２１ｄ）は前記スライドドア（２１）により構成されることを特徴とする請求項１、３、４、５、６、１０のいずれか１つに記載の車両用空調装置。
【発明の詳細な説明】
【技術分野】
【０００１】
本発明は、冷風と温風との風量割合により吹出空気温度を調整する空調装置における最大冷房性能を保証するための構造および吹出空気温度の制御特性を向上するための構造に関する。
【背景技術】
【０００２】
従来、車両用空調装置においては、冷風と温風との風量割合をエアミックスドアにより調整して吹出空気温度を調整するエアミック方式が代表的である。（例えば、特許文献１参照）。
【０００３】
この従来技術では、図９に示すように加熱用熱交換器１４の上方部に、加熱用熱交換器１４をバイパスして冷風が流れる冷風通路１５を形成するとともに、加熱用熱交換器１４を通過した温風が流れる温風通路４０を加熱用熱交換器１４後方側から加熱用熱交換器１４の上方部に向かって立ち上がるように形成している。
【０００４】
そして、加熱用熱交換器１４の上方部に上記冷風通路１５からの冷風と上記温風通路４０からの温風とを混合する空気混合部４１を形成し、この空気混合部４１で混合された所望温度の空調風をフェイス吹出開口部２０、フット吹出開口部１９およびデフロスタ吹出開口部４２へ向けて配風するようになっている。
【０００５】
また、上記従来技術では、エアミックスドア４３として、第１ドア部４３ａと第２ドア部４３ｂとこの両ドア部４３ａ、４３ｂの中間に配置された回転軸４３ｃとを有するバタフライドアを用いている。
【０００６】
第１ドア部４３ａにより冷風通路１５と加熱用熱交換器１４の入口通風路１６を開閉し、第２ドア部４３ｂにより温風通路４０の出口部を開閉する。最大冷房時には、第１ドア部４３ａにより冷風通路１５を全開して加熱用熱交換器１４の入口通風路１６を全閉すると同時に、第２ドア部４３ｂにより温風通路４０の出口部を全閉する。
【０００７】
これにより、最大冷房時に加熱用熱交換器１４にて加熱された暖気が自然対流で冷風流れに混入することを第２ドア部４３ｂにより防止できる。そのため、最大冷房時に暖気の混入により車室内吹出空気温度が上昇することを防止でき、最大冷房性能を保証できる。それ故、加熱用熱交換器１４への温水流れを断続する温水弁を廃止できる。
【０００８】
しかし、上記従来技術によると、加熱用熱交換器１４後方側から加熱用熱交換器１４の上方部に至る長さの長い温風通路４０および空気混合部４１から下方へ向かうフット吹出通路４４が必要となり、空調装置の大型化、フット吹出空気の圧損上昇等の不具合が生じる。
【０００９】
車両用空調装置の別の温度調整方式として、加熱用熱交換器１４への温水流量を温水弁の開度により調整して、吹出空気温度を調整する温水流量調整方式が知られている。この温水流量調整方式であると、上記エアミックスドア４３および空気混合部４１を廃止できるので、空調装置の小型化に有利である。
【００１０】
しかし、この温水流量調整方式であると、送風空気の全量が常に冷却用熱交換器１３および加熱用熱交換器１４の両方を通過するので、通風抵抗が高いという不具合がある。また、加熱用熱交換器１４内部には比熱が大きい温水が内蔵されているので、加熱用熱交換器１４全体としての熱容量が非常に大きい。このため、温水流量調整方式では、エアミック方式に比較して、温水弁の開度変化に対する吹出空気の温度追従性が悪いという不具合がある。
【００１１】
そこで、本発明者らは、通風抵抗、温度追従性等の面で優れているエアミック方式において空調装置の小型化を実現することを試みた。
【００１２】
図１０、図１１は本発明者らが試作検討した空調装置であり、加熱用熱交換器１４の吹出側直後に、第１吹出開口部であるフット吹出開口部１９を直接対向するように配置している。これに対し、フット吹出開口部１９に隣接配置されるフェイス吹出開口部（第２吹出開口部）２０は冷風通路１５に直接対向するように配置される。
【００１３】
これらの両吹出開口部１９、２０は、吹出モードドアを構成するフィルムドア２１により開閉される。このフィルムドア２１の両端部は巻き取り軸２１ｂ、２１ｃにそれぞれ巻き取り巻き戻し可能に連結され、フィルムドア２１の長手方向の途中に設けられた開口窓部２１ａあるいはフィルム膜部２１ｄ、２１ｅが両吹出開口部１９、２０と重合することにより、両吹出開口部１９、２０を開閉する。
【００１４】
このような空調ユニット構成によると、加熱用熱交換器１４の吹出直後の空間および冷風通路１５の出口側空間の占有スペースを温水流量調整方式と同等程度まで縮小できる。そのため、図１０、図１１の試作品では、図９に示す従来の代表的なエアミック方式の空調ユニット構成に比較して体格を大幅に縮小できる。
【特許文献１】特開２００４−４２６８７号公報
【発明の開示】
【発明が解決しようとする課題】
【００１５】
ところで、図１０、図１１の試作品は加熱用熱交換器１４の温水通路に温水弁を設けない、いわゆるウォータバルブレスのシステムになっているので、最大冷房時にも加熱用熱交換器１４に温水が循環することになる。
【００１６】
このようなウォータバルブレスのシステムであるため、図１０、図１１の空調ユニット構成を採用すると、最大冷房時に車室内吹出空気温度が上昇して最大冷房性能を低下させることが大きな課題となる。
【００１７】
この最大冷房性能の低下は、次のごとき２つの現象が要因となって生じることが分かった。
【００１８】
図１０は最大冷房性能低下の第１要因を説明するための図であって、フィルムドア２１の開口窓部２１ａが両吹出開口部１９、２０と同時に重合して、両吹出開口部１９、２０を同時に開口するバイレベルモードの状態を図示している。また、冷風側エアミックスドア１８が冷風通路１５を全開し、温風側エアミックスドア１７が加熱用熱交換器１４の入口通風路１６を全閉しているので、温度制御の最大冷房状態を示している。
【００１９】
ここで、フィルムドア２１の開口窓部２１ａの大きさは、両吹出開口部１９、２０のうち１つを全開できる大きさに設計されているので、両吹出開口部１９、２０のうち空調ユニット中央寄りの半分程度を開口するだけで、両吹出開口部１９、２０のうち残りの半分程度（空調ユニット外側寄りの半分程度）はフィルムドア２１のフィルム膜部２１ｄ、２１ｅにより閉じられている。
【００２０】
バイレベルモードでは、フィルムドア２１の開口窓部２１ａが冷風通路１５の直後でなく、冷風通路１５から見て加熱用熱交換器１４の下流側に偏った位置にある。そして、最大冷房状態では加熱用熱交換器１４への空気流入が遮断されるので、冷風通路１５からフィルムドア２１の開口窓部２１ａ（フット吹出開口部１９）へ向かう冷風流れｊの主流は加熱用熱交換器１４側へ傾くことになる。
【００２１】
図１２はこの冷風流れの主流の傾きを説明する模式的断面図であり、矢印ａはバイレベルモードの最大冷房状態における冷風流れの主流方向を示し、θはこの冷風流れの主流の傾き角度である。この傾き角度θはこの主流方向ａと冷風通路１５における冷風流れの直進方向ｂとがなす角度である。
【００２２】
図１０において、フィルムドア２１のうちフット吹出開口部１９側のフィルム膜部２１ｄは空気流れを遮断する壁部として作用するので、このフィルム膜部２１ｄと加熱用熱交換器１４との間の領域Ａは空気流れの行き止まり空間となる。このため、領域Ａでは冷風の一部が流れ込むことによって静圧が高くなる。
【００２３】
これに対し、フィルムドア２１の開口窓部２１ａと加熱用熱交換器１４との間の領域Ｃでは、冷風流れの主流が通過するので、動圧成分が高くなって、その分だけ静圧が低くなる。
【００２４】
そして、加熱用熱交換器１４と温風側エアミックスドア１７との間の領域（入口通風路１６の領域）Ｂは、温風側エアミックスドア１７により冷風通路１５の上流部と遮断され、かつ、加熱用熱交換器１４のコア部の空隙部を介して領域Ａ、Ｃの両方と連通している。このため、領域Ｂの静圧は領域Ａ、Ｃの中間値となる。
【００２５】
つまり、領域Ａの静圧＞領域Ｂの静圧＞領域Ｃの静圧という関係が成立する。これにより、領域Ａ、Ｂ、Ｃの間では、図１０の矢印ｃに示すように領域Ａから領域Ｂを通過して領域Ｃに至る逆流循環流れが生じる。
【００２６】
この逆流循環流れｃによって、最大冷房状態でも加熱用熱交換器１４のコア部で空気が加熱され、その暖気（加熱空気）がフット吹出開口部１９へ向かう冷風流れｊに混入して、フット吹出開口部１９側の吹出空気温度を上昇させるという問題が生じることが分かった。すなわち、加熱用熱交換器１４のコア部を通過する空気流れｃの発生が最大冷房性能低下の第１要因である。
【００２７】
なお、フィルムドア２１の開口窓部２１ａにてフェイス吹出開口部２０を全開し、フット吹出開口部１９を全閉するフェイスモードの最大冷房時（後述の図２参照）には、冷風通路１５の冷風がフェイス吹出開口部２０へ向かって直進するように流れて、領域Ａ、Ｃ全体が空気流れの行き止まり空間となるので、領域Ａ、Ｂ、Ｃ相互間の静圧差が僅少となる。
【００２８】
その結果、フェイスモードでは加熱用熱交換器１４のコア部を通過する空気流れｃも僅少となるので、この空気流れｃに起因する最大冷房性能の低下は僅かであり、実用上問題とならない。
【００２９】
次に、図１１は最大冷房性能低下の第２要因を説明するための図であって、上述の図１０と同様に、フィルムドア２１の開口窓部２１ａにて両吹出開口部１９、２０を同時に開口するバイレベルモードでの最大冷房状態を示している。
【００３０】
加熱用熱交換器１４の上方側では、コア部で加熱された暖気が自然対流にて矢印ｄのようにもやつく。ここで、冷風流れｊの主流がもし、上記フェイスモード時のように加熱用熱交換器１４のコア面と略直交する方向であれば、自然対流による暖気のもやつきが発生しても、この暖気が冷風流れｊと混合される程度が僅少となる。このため、最大冷房性能の低下は僅かであり、実用上問題とならない。
【００３１】
これに対し、バイレベルモードにおいては、前述の図１２にて説明したごとく、冷風通路１５からフィルムドア２１の開口窓部２１ａ（フット吹出開口部１９）へ向かう冷風流れｊの主流は加熱用熱交換器１４側へ傾いているので、この冷風流れの主流に対して暖気のもやつきが混入しやすい。
【００３２】
更に、図１０の領域Ａが空気流れの行き止まり空間を形成するので、この領域Ａを含む加熱用熱交換器１４のコア面下流側をかき乱す空気流れｅも発生しやすい。
【００３３】
これらの現象が相俟って、加熱用熱交換器１４のコア面からの自然対流による暖気ｄがフット吹出開口部１９へ向かう冷風流れｊと混合して、フット吹出空気温度を上昇させる。これがバイレベルモード時の最大冷房性能を低下させる第２要因である。
【００３４】
ところで、加熱用熱交換器１４の温水通路に温水弁を設け、最大冷房時に温水弁を閉弁状態に操作して加熱用熱交換器１４への温水循環を遮断すれば、上述した「最大冷房性能の低下」という課題は解決できる。
【００３５】
しかし、このような対策は、温水弁の設置に伴うコストアップを招くだけでなく、車室内吹出空気の温度制御特性が悪いという別の不具合が残る。
【００３６】
この不具合を図１３により説明すると、図１３はバイレベルモード時の吹出温度制御特性であり、図中破線（１）は、図１０、図１１の試作品におけるバイレベルモード時のフット吹出温度で、細線（２）はバイレベルモード時のフェイス吹出温度である。太実線（３）は後述の本発明によるバイレベルモード時のフット吹出温度である。なお、図１３の横軸は、最大冷房位置を０％とし、最大暖房位置を１００％とした場合のエアミックスドア開度（％）である。
【００３７】
加熱用熱交換器１４の温水通路に温水弁を設けても、最大冷房時以外では温水弁が開弁状態を維持するので、最大冷房側の温度制御域では、上述した第１、第２要因の影響でフット吹出空気温度が破線（１）に示すように細線（２）のフェイス吹出温度よりもかなり高い温度となる。
【００３８】
そして、エアミックスドア１７、１８が最大冷房状態になると温水弁が閉弁状態に移行して加熱用熱交換器１４への温水流れを遮断するので、フット吹出空気温度が破線（１）のレベルから矢印ｚのように一挙にフェイス吹出温度（２）のレベルまで急低下する。逆に、エアミックスドア１７、１８が最大冷房状態から温度制御域に移行すると、その移行直後にフット吹出空気温度がフェイス吹出温度（２）のレベルから破線（１）のレベルへと急上昇する。
【００３９】
このように、温水弁を設置するという対策だけであると、最大冷房状態付近でフット吹出空気温度が急変動して、空調フィーリングを悪化するという不具合が生じる。
【００４０】
本発明は、上記した諸点に鑑み、最大冷房時にも温水等の高温熱源流体が加熱用熱交換器に循環する空調装置において、最大冷房性能の確保と空調装置の小型化とを両立することを第１の目的とする。
【００４１】
また、本発明は、最大冷房時に温水等の高温熱源流体が加熱用熱交換器に循環することを停止する空調装置において、吹出空気温度の制御特性の向上と空調装置の小型化とを両立することを第２の目的とする。
【課題を解決するための手段】
【００４２】
本発明は上記目的を達成するために案出されたものであり、請求項１に記載の発明では、加熱用熱交換器（１４）を通過する温風と冷風通路（１５）を通過する冷風との風量割合を温度調整手段（１７、１８、３０）により調整して車室内吹出温度を調整し、
温度調整手段（１７、１８、３０）が最大冷房位置に操作されたときにも加熱用熱交換器（１４）に高温熱源流体が循環するようになっている車両用空調装置において、
加熱用熱交換器（１４）の空気流れ下流側空間部に、加熱用熱交換器（１４）と直接対向する開口部（１９）が配置され、
冷風通路（１５）からの冷風流れの主流が開口部（１９）に向かって加熱用熱交換器（１４）側へ傾くようになっており、
開口部（１９）を開閉するドア手段（２１）を有し、
開口部（１９）のうち冷風通路（１５）と反対側となる部位に加熱用熱交換器（１４）と直接対向する壁部（２１ｄ）が配置され、
壁部（２１ｄ）がドア手段（２１）によって構成され、
更に、加熱用熱交換器（１４）の空気流れ下流側空間部に、温度調整手段（１７、１８、３０）が最大暖房位置に操作されたときに加熱用熱交換器（１４）からの温風吹出方向に沿うように仕切り板（２３）が配置され、
仕切り板（２３）の温風吹出方向の上流側端部は加熱用熱交換器（１４）の下流側コア面近傍に位置し、
これに対し、仕切り板（２３）の温風吹出方向の下流側端部は、ドア手段（２１）が開口部（１９）の中間開度の開口位置に操作されたときに壁部（２１ｄ）の冷風通路（１５）側の端部近傍に位置し、
この仕切り板（２３）によって空気流れ下流側空間部を冷風通路（１５）側の領域（２４）と冷風通路（１５）と反対側の領域（２５）とに仕切ることを特徴としている。
【００４３】
請求項１に記載の発明によれば、最大冷房時にも加熱用熱交換器（１４）に高温熱源流体が循環する車両用空調装置において、最大冷房時に加熱用熱交換器１４のコア面からの自然対流による暖気が開口部（１９）へ向かう冷風流れと混合することを抑制できる。
【００４４】
すなわち、仕切り板（２３）によって加熱用熱交換器（１４）の空気流れ下流側空間部を冷風通路（１５）側の領域（２４）と冷風通路（１５）と反対側の領域（２５）とに仕切るから、反冷風通路側の領域（２５）まで冷風が流れ込むことを防止して、仕切り板（２３）の板面に沿って冷風を開口部（１９）側へガイドできる。
【００４５】
これにより、加熱用熱交換器（１４）の空気流れ下流側コア面に沿って反冷風通路（１５）側の領域（２５）まで流れ込む冷風流れ（図１１の矢印ｅの流れ）を阻止できるので、加熱用熱交換器（１４）の空気流れ下流側コア面付近の空気がかき乱されることを確実に防止できる。
【００４６】
このため、最大冷房時に加熱用熱交換器１４のコア面からの自然対流による暖気が冷風流れと混合することを抑制でき、開口部（１９）からの吹出空気温度の上昇を抑制できる。
また、仕切り板（２３）の仕切り作用によって加熱用熱交換器（１４）下流側の反冷風通路（１５）側の領域（２５）、すなわち、図１０の領域Ａの静圧が高くなることを抑制できる。このため、図１０の逆流循環流れｃの発生も抑制できる。
【００４７】
それ故、最大冷房時に高温熱源流体の流れを遮断する弁手段を持たない車両用空調装置においても、上記作用が相俟って最大冷房性能を良好に確保できる。
【００４８】
しかも、加熱用熱交換器（１４）の空気流れ下流側空間部に、開口部（１９）を加熱用熱交換器（１４）と直接対向するように配置しているから、加熱用熱交換器（１４）と開口部（１９）との距離を狭めて、空調装置の小型化を実現できる。
【００４９】
更に、請求項１に記載の発明によれば、温度調整手段（１７、１８、３０）を最大暖房位置に操作したときに加熱用熱交換器（１４）からの温風吹出方向に沿うように仕切り板（２３）を配置しているから、最大暖房時に仕切り板（２３）が通風抵抗となることを抑制できる。
【００５０】
しかも、加熱用熱交換器（１４）と直接対向する壁部（２１ｄ）を開口部（１９）開閉用のドア手段（２１）によって構成するから、最大暖房時にはドア手段（２１）を移動して壁部（２１ｄ）を加熱用熱交換器（１４）と直接対向しない位置に移動させることができる。
【００５１】
このため、最大暖房時に壁部（２１ｄ）によって加熱用熱交換器（１４）を通過する温風流れを妨げるという不具合も回避できる。以上により、仕切り板（２３）および壁部（２１ｄ）の存在にもかかわらず、最大暖房性能を支障なく良好に発揮できる。
【００５２】
なお、請求項１に記載の発明において加熱用熱交換器（１４）の高温熱源流体の具体例は、車両エンジンの温水（冷却水）が代表的であるが、温水以外に油類等を高温熱源流体として使用してもよい。また、冷却用熱交換器（１３）の低温熱源流体も、冷凍サイクルの低温冷媒だけでなく、冷凍サイクルの低温冷媒により冷却された冷水等であってもよい。
【００５３】
次に、請求項２に記載の発明では、加熱用熱交換器（１４）を通過する温風と冷風通路（１５）を通過する冷風との風量割合を温度調整手段（１７、１８、３０）により調整して車室内吹出温度を調整し、
温度調整手段（１７、１８、３０）が最大冷房位置に操作されたときにも加熱用熱交換器（１４）に高温熱源流体が循環するようになっている車両用空調装置において、
加熱用熱交換器（１４）の空気流れ下流側空間部に、加熱用熱交換器（１４）と直接対向する開口部（１９、２７）が配置され、
冷風通路（１５）からの冷風流れの主流が開口部（１９、２７）に向かって加熱用熱交換器（１４）側へ傾くようになっており、
開口部（１９、２７）のうち冷風通路（１５）と反対側となる部位に加熱用熱交換器（１４）と直接対向する壁部（２１ｄ、２９）が配置され、
更に、加熱用熱交換器（１４）の空気流れ上流側空間部（１６）に、温度調整手段（１７、１８、３０）が最大暖房位置に操作されたときに加熱用熱交換器（１４）に流入する空気の流れ方向に沿うように仕切り板（２２）が配置され、
温度調整手段として回転可能な板状ドアにより構成された温風側エアミックスドア（１７）を有し、
仕切り板（２２）は、最大暖房位置における温風側エアミックスドア（１７）の背面に沿って配置され、
この仕切り板（２２）によって空気流れ上流側空間部（１６）を冷風通路（１５）側の領域（１６ａ）と冷風通路（１５）と反対側の領域（１６ｂ）とに仕切ることを特徴としている。
【００５４】
請求項２に記載の発明は、請求項１に記載の発明に対して仕切り板（２２）を加熱用熱交換器（１４）の空気流れ上流側空間部（１６）に配置し、温度調整手段として回転可能な板状ドアにより構成された温風側エアミックスドア（１７）を有し、仕切り板（２２）は、最大暖房位置における温風側エアミックスドア（１７）の背面に沿って配置していることが相違している。
【００５５】
請求項２に記載の発明によれば、仕切り板（２２）によって加熱用熱交換器（１４）の空気流れ上流側空間部（１６）を冷風通路（１５）側の領域（１６ａ）と冷風通路（１５）と反対側の領域（１６ｂ）とに仕切るから、反冷風通路側の領域（１６ｂ）の静圧（図１０の領域Ｂの静圧）を加熱用熱交換器（１４）下流側の反冷風通路側の領域（２５）、すなわち、図１０の行き止まり領域Ａの静圧に近づけることができる。
【００５６】
このため、加熱用熱交換器（１４）の上流側と下流側との静圧差を減少できる。これに加え、仕切り板（２２）が上流側空間部（１６）の仕切り作用を果たすので、図１０の逆流循環流ｃを抑制できる。従って、この逆流循環流ｃに起因する最大冷房性能の低下を抑制できる。
【００５７】
請求項２に記載の発明によれば、請求項１に記載の発明と同様に、最大冷房性能の確保と車両用空調装置の小型化とを良好に実現できる。
【００５８】
また、請求項２に記載の発明では、仕切り板（２２）を加熱用熱交換器（１４）の空気流れ上流側空間部（１６）に配置するに当たり、最大暖房位置における温風側エアミックスドア（１７）の背面に沿って配置しているから、加熱用熱交換器（１４）と直接対向する壁部（２１ｄ、２９）をドア手段（２１）に構成して移動可能にしなくても、加熱用熱交換器（１４）による最大暖房性能を支障なく良好に発揮できる。
【００６９】
次に、請求項３に記載の発明のように、請求項１に記載の車両用空調装置において、具体的には、空気流れ下流側の仕切り板（２３）と壁部（２１ｄ）との組み合わせにより、冷風通路（１５）と反対側の領域（２５）を冷風通路（１５）からの冷風流れと遮断するようにしてもよい。
【００７０】
これによると、加熱用熱交換器（１４）の空気流れ下流側の反冷風通路側領域（２５）を冷風流れから確実に遮断できるので、暖気が冷風流れに混合することをより確実に抑制できる。
【００７１】
また、請求項４に記載の発明のように、請求項１または３に記載の車両用空調装置において、加熱用熱交換器（１４）の空気流れ上流側空間部（１６）に、温度調整手段（１７、１８、３０）が最大暖房位置に操作されたときに前記加熱用熱交換器（１４）に流入する空気の流れ方向に沿うように空気流れ上流側の仕切り板（２２）を配置し、
この空気流れ上流側の仕切り板（２２）によって空気流れ上流側空間部（１６）を冷風通路（１５）側の領域（１６ａ）と冷風通路（１５）と反対側の領域（１６ｂ）とに仕切るようにしてもよい。
【００７２】
すなわち、空気流れ下流側の仕切り板（２３）と空気流れ上流側の仕切り板（２２）とを組み合わせてもよい。これによれば、最大冷房状態の確保、吹出空気温度の制御特性の向上といった面でより一層効果を向上できる。
【００７３】
また、請求項５に記載の発明のように、請求項４に記載の車両用空調装置において、空気流れ上流側の仕切り板（２２）と空気流れ下流側の仕切り板（２３）が加熱用熱交換器（１４）に対して傾斜配置され、
空気流れ上流側の仕切り板（２２）と空気流れ下流側の仕切り板（２３）が、加熱用熱交換器（１４）を挟んで複数の領域（１６ａ、１６ｂ、２４、２５）の配置方向（図１のＸ方向）で部分的にラップするようにしてもよい。
【００７４】
つまり、空気流れ上流側と下流側の２枚の仕切り板（２２、２３）を組み合わせる場合に、２枚の仕切り板（２２、２３）のラップ部分を仕切り板（２２、２３）の寸法ばらつきに影響されることなく維持できるように予め設計しておく。これにより、加熱用熱交換器（１４）のうち２枚の仕切り板（２２、２３）相互間の部位を空気が通り抜けることを抑制でき、２枚の仕切り板（２２、２３）の仕切り作用を向上できる。
【００７５】
また、請求項６に記載の発明のように、請求項４または５に記載の車両用空調装置において、加熱用熱交換器（１４）の空気流れ上流側空間部（１６）は、具体的には、加熱用熱交換器（１４）の空気流れ上流側コア面と、最大冷房位置における温度調整手段（１７、１８、３０）との間に形成される空間であり、
空気流れ上流側の仕切り板（２２）は、加熱用熱交換器（１４）の空気流れ上流側コア面と、最大冷房位置における温度調整手段（１７、１８、３０）との間に挟み込まれるように配置してもよい。
【００７６】
また、請求項７に記載の発明のように、請求項２に記載の車両用空調装置において、空気流れ上流側空間部（１６）は、加熱用熱交換器（１４）の空気流れ上流側コア面と、最大冷房位置における温風側エアミックスドア（１７）との間に形成される空間であり、
空気流れ上流側の仕切り板（２２）は、加熱用熱交換器（１４）の空気流れ上流側コア面と、最大冷房位置における温風側エアミックスドア（１７）との間に挟み込まれるように配置してもよい。
【００７７】
また、請求項８に記載の発明では、請求項１ないし７のいずれか１つに記載の車両用空調装置において、具体的には、加熱用熱交換器（１４）は、高温熱源流体が流れる多数本のチューブ（１４ａ）を有し、
チューブ（１４ａ）の長手方向と仕切り板（２２、２３）の板面の方向とが同一方向になっている。
【００７８】
これによると、チューブ（１４ａ）の長手方向に沿って仕切り板（２２、２３）の板面が延びるから、チューブ（１４ａ）と仕切り板（２２、２３）との共同作用にて空間仕切り作用をより確実に果たすことができる。
【００７９】
また、請求項９に記載の発明のように、請求項１ないし８のいずれか１つに記載の車両用空調装置において、具体的には、加熱用熱交換器（１４）の空気流れ下流側部位のうち冷風通路（１５）側の端部付近に、冷風通路（１５）からの冷風流れを開口部（１９）側へ向かうようにガイドする空気ガイド板（２６）を配置してもよい。
【００８０】
これによると、空気ガイド板（２６）にて冷風流れを加熱用熱交換器（１４）の空気流れ下流側コア面から離れる方向にガイドできるので、加熱用熱交換器（１４）からの暖気と冷風流れとの混合をより一層抑制できる。
【００８１】
また、請求項１０に記載の発明のように、請求項２または７に記載の車両用空調装置において、開口部（１９）を開閉するドア手段（２１）を設けるようにしてよいことはもちろんである。
【００８２】
また、請求項１１に記載の発明のように、請求項１、３、４、５、６、１０のいずれか１つに記載の車両用空調装置において、ドア手段を具体的には、開口部（１９）へ向かう空気流れと直交する方向へ移動するスライドドア（２１）で構成し、壁部（２１ｄ）をスライドドア（２１）により構成してもよい。
【００８３】
これによると、スライドドア（２１）が開口部（１９）へ向かう空気流れと直交する方向へ移動するから、スライドドア（２１）を加熱用熱交換器（１４）のコア面に沿って移動させることができる。
【００８４】
このため、スライドドア（２１）の作動スペースは回転式板ドアに比較して大幅に縮小できる。その結果、スライドドア（２１）を加熱用熱交換器（１４）のコア面に沿って加熱用熱交換器（１４）の下流側に近接配置することができ、室内空調ユニット部の体格の小型化に有利である。
【００８５】
なお、上記各手段および特許請求の範囲の各手段の括弧内の符号は、後述する実施形態に記載の具体的手段との対応関係を示すものである。
【発明を実施するための最良の形態】
【００８６】
（第１実施形態）
図１（ａ）は第１実施形態による車両用空調装置の室内空調ユニット部１０を示す断面図で、図１（ａ）における上下前後の各矢印は車両搭載状態における方向を示す。図１（ｂ）は加熱用熱交換器単体の正面図である。この室内空調ユニット部１０は車室内後席側を空調するためのものである。この後席側の室内空調ユニット部１０は例えば、ワゴンタイプの車両における車室内後席側領域の左右の車体側壁部に搭載される。
【００８７】
室内空調ユニット部１０は車室内へ向かって流れる空気の通路を構成する樹脂製の空調ケース１１を備えている。この空調ケース１１は樹脂成形上の都合、内蔵部品の組付上の都合等から実際には複数の分割ケース体として成形される。そして、この複数の分割ケース体をねじやクリップ等の締結手段により一体に締結することにより空調ケース１１が構成される。空調ケース１１は本例では車両左右方向（図１（ａ）の紙面垂直方向）に分割された左側分割ケース体と右側分割ケース体とにより構成される。
【００８８】
空調ケース１１のうち、車両前方側の上方部に送風機部１２が一体に配置されている。この送風機部１２は図示しないモータにより回転駆動される遠心式の送風ファン１２ａと、この送風ファン１２ａを収容しているスクロールケーシング１２ｂとを有する。
【００８９】
この送風機部１２により車室内空気（内気）が吸入されて矢印ｆのように冷却用熱交換器１３の下側空間に向けて送風される。冷却用熱交換器１３は、具体的には、冷凍サイクルの低圧冷媒が蒸発する蒸発器にて構成され、送風空気から低圧冷媒が吸熱して蒸発することで送風空気を冷却する。
【００９０】
冷却用熱交換器１３は、空調ケース１１の内部空間のうち下方側の部位に水平面から所定角度傾斜した状態で配置される。冷却用熱交換器１３は、周知のチューブとフィンとにより構成される熱交換コア部１３ａを有し、この熱交換コア部１３ａを送風空気が矢印ｇのように下方から上方へと通過する。
【００９１】
空調ケース１１内において、冷却用熱交換器１３の空気流れ下流側（上方側）で、かつ、車両前方側部位に加熱用熱交換器１４が配置されている。この加熱用熱交換器１４は冷却用熱交換器１３通過後の空気（冷風）を温水（エンジン冷却水）により加熱する。加熱用熱交換器１４も冷却用熱交換器１３と同様に水平面から所定角度傾斜した状態で配置される。
【００９２】
図１（ｂ）に示すように、加熱用熱交換器１４は車両前後方向Ｘが長手方向となる矩形状であり、温水通路をなす多数本の扁平状チューブ１４ａとコルゲートフィン１４ｂとが車両前後方向Ｘに交互に積層配置され接合される。この扁平状チューブ１４ａとコルゲートフィン１４ｂとにより熱交換コア部１４ｃが構成される。
【００９３】
従って、本実施形態では、チューブ１４ａの長手方向（図１（ｂ）の矢印ｈ方向）が車両左右方向（図１（ａ）の紙面垂直方向）に向くようになっている。チューブ１４ａの一端部は温水入口タンク１４ｄに接合され、温水入口タンク１４ｄの内部に連通する。また、チューブ１４ａの他端部は温水出口タンク１４ｅに接合され、温水出口タンク１４ｅの内部に連通する。
【００９４】
これにより、加熱用熱交換器１４は、温水入口タンク１４ｄの温水が全部のチューブ１４ａを通過して温水出口タンク１４ｅへ向かう一方向流れタイプ（全パスタイプ）として構成される。最大冷房以外の状態では、熱交換コア部１４ｃの空隙部を送風空気が図１（ａ）の破線矢印ｉのように下方から上方へと通過して加熱される。
【００９５】
温水入口タンク１４ｄの入口パイプ１４ｆおよび温水出口タンク１４ｅの出口パイプ１４ｇはともに空調ケース１１の外部（車両前方側）へ突き出して、車両エンジンの温水通路に接続される。ここで、加熱用熱交換器１４の温水通路には温水流れを断続する温水弁を設置していないので、車両エンジン（図示せず）の作動時には車両エンジンの温水（冷却水）が加熱用熱交換器１４に常時循環するようになっている。
【００９６】
そして、空調ケース１１内部において、加熱用熱交換器１４の一端側（車両後方側）の側方部位に冷風通路１５が並列に形成されている。従って、加熱用熱交換器１４と冷風通路１５との配置（並び）方向も車両前後方向Ｘとなる。冷風通路１５は、冷却用熱交換器１３通過後の空気（冷風）が加熱用熱交換器１４をバイパスして流れる通路である。
【００９７】
空調ケース１１内において加熱用熱交換器１４の上流側（下方側）には加熱用熱交換器１４の入口通風路、すなわち、上流側空間部１６が形成されている。この上流側空間部１６には、温風側エアミックスドア１７が回転軸１７ａを中心に回転可能に配置されている。
【００９８】
この温風側エアミックスドア１７はその板状ドア形状の中央部に回転軸１７ａを配置したバタフライドアであり、上流側空間部１６の開度を調整して加熱用熱交換器１４で加熱される温風ｉの風量を調整する。
【００９９】
冷風通路１５には冷風側エアミックスドア１８が回転軸１８ａを中心に回転可能に配置されている。この冷風側エアミックスドア１８も、その板状ドア形状の中央部に回転軸１８ａを配置したバタフライドアであり、冷風通路１５の開度を調整して冷風通路１５を通過する冷風ｊの風量を調整する。
【０１００】
なお、両エアミックスドア１７、１８は、温風ｉの風量が増加すると冷風ｊの風量が減少し、逆に、冷風ｊ３の風量が増加すると温風ｉの風量が減少するように、１つの共通のドア駆動機構（図示せず）によって連動操作される。
【０１０１】
空調ケース１１の上面部には、後席側フット吹出開口部１９と後席側フェイス吹出開口部２０が車両前後方向に並んで配置される。ここで、両吹出開口部１９、２０の開口形状は矩形状になっている。
【０１０２】
後席側フット吹出開口部１９は、加熱用熱交換器１４の吹出直後の部位（加熱用熱交換器１４の上方部）に加熱用熱交換器１４のコア面に直接対向するように配置される。これに対し、後席側フェイス吹出開口部２０は、冷風通路１５の下流側直後の部位（冷風通路１５の上方部）に冷風通路１５に直接対向するように配置される。
【０１０３】
後席側フット吹出開口部１９には図示しない後席側フット吹出ダクトが接続され、この後席側フット吹出ダクトの先端吹出口から車室内後席側の乗員足元側へ空気を吹き出す。後席側フェイス吹出開口部２０には図示しない後席側フェイス吹出ダクトが接続され、この後席側フェイス吹出ダクトの先端吹出口から車室内後席側の乗員頭部側へ空気を吹き出す。なお、本実施形態では後席側フット吹出開口部１９が本発明の開口部に相当する。
【０１０４】
本実施形態においては、この後席側フット吹出開口部１９と後席側フェイス吹出開口部２０への空気流れを切り替える吹出モード切替ドアを空調ケース１１の上面部の内壁面に沿って両吹出開口部１９、２０の並び方向（車両前後方向）Ｘに移動するスライドドアにて構成している。
【０１０５】
具体的には、このスライドドアをフィルムドア２１にて構成している。このフィルムドア２１自体は、可撓性を有する樹脂製薄膜状のフィルム材で構成される周知のものである。フィルムドア２１の長手方向の中間位置には空気通過用の開口窓部２１ａが開口している。
【０１０６】
そして、空調ケース１１の上面部の内側にて両吹出開口部１９、２０の並び方向（車両前後方向）Ｘの両端部付近にフィルムドア２１の巻き取り軸２１ｂ、２１ｃが回転可能に配置されている。フィルムドア２１の長手方向の両端部はこの巻き取り軸２１ｂ、２１ｃにそれぞれ巻き取り、巻き戻し可能に連結される。この巻き取り軸２１ｂ、２１ｃは図示しない１つの共通のドア駆動機構（図示せず）によって連動して回転操作される。
【０１０７】
この巻き取り軸２１ｂ、２１ｃの回転によってフィルムドア２１の長手方向の両端部が巻き取り軸２１ｂ、２１ｃに巻き取り、あるいは巻き戻しされる。これにより、開口窓部２１ａの位置が矢印Ｘ方向に移動して両吹出開口部１９、２０を開閉する。
【０１０８】
ここで、開口窓部２１ａは、両吹出開口部１９、２０の開口形状に対応した矩形状の開口形状になっており、開口窓部２１ａの開口面積を両吹出開口部１９、２０の開口面積よりも若干大きめに設定してある。これにより、開口窓部２１ａが後席側フット吹出開口部１９または後席側フェイス吹出開口部２０上に全面的に重合することができ、後席側フット吹出開口部１９または後席側フェイス吹出開口部２０を全開できる。
【０１０９】
また、フィルムドア２１の開口窓部２１ａの前後両側に形成される膜部２１ｄ、２１ｅが後席側フット吹出開口部１９または後席側フェイス吹出開口部２０上に全面的に重合することにより、後席側フット吹出開口部１９または後席側フェイス吹出開口部２０を全閉できる。
【０１１０】
なお、図１（ａ）はフィルムドア２１の開口窓部２１ａが両吹出開口部１９、２０の中央寄り部分に重合して、両吹出開口部１９、２０を同時に開口するバイレベルモードの状態を図示している。
【０１１１】
次に、本実施形態における最大冷房性能を確保するための第１、第２仕切り板２２、２３について説明する。第１仕切り板２２は、加熱用熱交換器１４の上流側（下方側）に配置される板状部材であって、加熱用熱交換器１４の上流側空間部１６を冷風通路１５側の領域１６ａと冷風通路１５と反対側の領域１６ｂとに仕切るものである。
【０１１２】
換言すると、第１仕切り板２２は上流側空間部１６を加熱用熱交換器１４および冷風通路１５の配置方向（車両前後方向）Ｘの２つの領域１６ａ、１６ｂに仕切るものである。このため、第１仕切り板２２は図１（ａ）の紙面垂直方向（車両左右方向）に延びる板形状となっている。
【０１１３】
温風側エアミックスドア１７の図１（ａ）の実線位置は、上流側空間部１６を全閉する最大冷房位置であり、第１仕切り板２２の一端部（下端部）がこの最大冷房位置における温風側エアミックスドア１７の板面近傍に位置し、第１仕切り板２２の他端部（上端部）は、加熱用熱交換器１４の上流側コア面近傍に位置するように第１仕切り板２２が配置されている。
【０１１４】
図１（ａ）の１点鎖線Ｙは、加熱用熱交換器１４の長手方向（車両前後方向）の中心線であり、第１仕切り板２２の他端部（上端部）は、より具体的にはこの中心線Ｙよりも若干量だけ車両前方側に位置するようになっている。
【０１１５】
温風側エアミックスドア１７の図１（ａ）の２点鎖線位置は、上流側空間部１６を全開する最大暖房位置であり、この最大暖房時における上流側空間部１６の空気流れの主流に対して第１仕切り板２２が通風抵抗とならないように、第１仕切り板２２は温風側エアミックスドア１７の最大暖房位置の背面側に温風側エアミックスドア１７の板面に沿って配置されている。これにより、第１仕切り板２２は加熱用熱交換器１４の上流側コア面に対して傾斜配置される。
【０１１６】
温風側エアミックスドア１７の最大暖房位置において、温風側エアミックスドア１７の板面と第１仕切り板２２との間には隙間Ｓを設定している。この隙間Ｓは、温風側エアミックスドア１７の板面が第１仕切り板２２に接触して異音が生じることを防止するものである。
【０１１７】
次に、第２仕切り板２３は、加熱用熱交換器１４の下流側（上方側）に配置される板状部材であって、加熱用熱交換器１４の下流側空間（吹出直後の空間）を冷風通路１５側の領域２４と冷風通路１５と反対側の領域２５とに仕切るものである。
【０１１８】
換言すると、第２仕切り板２３は加熱用熱交換器１４の下流側空間を加熱用熱交換器１４および冷風通路１５の配置方向（車両前後方向）Ｘの２つの領域２４、２５に仕切るものである。このため、第２仕切り板２３は図１（ａ）の紙面垂直方向（車両左右方向）に延びる板形状となっている。
【０１１９】
第２仕切り板２３も最大暖房時に通風抵抗とならないように、最大暖房時における加熱用熱交換器１４の吹出直後の温風流れの主流に沿うように第２仕切り板２３が下流側コア面に対して傾斜配置される。
【０１２０】
フィルムドア２１の図１（ａ）の操作位置は前述のごとくバイレベルモード位置であって、開口窓部２１ａよりも車両前方側の膜部２１ｄは加熱用熱交換器１４の下流側コア面に直接対向する壁面となるので、この膜部２１ｄの存在によって上記領域２４は空気流れの行き止まり空間となる。
【０１２１】
そこで、第２仕切り板２３の一端部（上端部）がこのバイレベルモード位置におけるフィルムドア２１の車両前方側の膜部２１ｄのうち開口窓部２１ａの近傍位置に位置し、第２仕切り板２３の他端部（下端部）は、加熱用熱交換器１４の下流側コア面近傍に位置するように第２仕切り板２３が配置されている。
【０１２２】
第２仕切り板２３の他端部（下端部）は、より具体的には加熱用熱交換器１４の中心線Ｙよりも若干量だけ車両後方側に位置するようになっている。これにより、第２仕切り板２３と第１仕切り板２２とは、加熱用熱交換器１４を挟んで複数の領域１６ａ、１６ｂ、２４、２５の配置方向（車両前後方向）Ｘにおいて所定量ラップした関係に傾斜配置されている。
【０１２３】
次に、空気ガイド板２６は、加熱用熱交換器１４の空気流れ下流側部位のうち、冷風通路１５側の端部付近に配置される板状部材であって、図１（ａ）の紙面垂直方向（車両左右方向）に延びる板形状となっている。
【０１２４】
この空気ガイド板２６は、加熱用熱交換器１４の冷風通路１５側の端部付近から加熱用熱交換器１４の下流側コア面から離れる側（図１（ａ）の上方側）へ傾斜配置され、冷風通路１５からの冷風流れｊをフット吹出開口部１９側へ向かうようにガイドするものである。
【０１２５】
上記した第１仕切り板２２、第２仕切り板２３および空気ガイド板２６はいずれも空調ケース１１と別体部品として形成することも、あるいは空調ケース１１と一体成形することも可能である。
【０１２６】
別体部品の場合は、空調ケース１１内部の所定位置に各別体部品を挟み込むか、あるいは接着等により固定するという組み付け面での煩雑さが生じるので、室内空調ユニット部１０の組み付け性向上のためには、第１仕切り板２２、第２仕切り板２３および空気ガイド板２６をいずれも空調ケース１１と一体成形することが好ましい。
【０１２７】
本実施形態では、前述のごとく空調ケース１１を車両左右方向に分割された左側分割ケース体と右側分割ケース体とにより構成しているので、第１仕切り板２２、第２仕切り板２３および空気ガイド板２６をいずれも車両左右方向に分割して左側分割ケース体と右側分割ケース体に樹脂で一体成形することになる。
【０１２８】
そして、左右の分割ケース体をねじやクリップ等の締結手段により一体に締結する際に、左右分割の第１仕切り板２２、第２仕切り板２３および空気ガイド板２６の先端部同士を突き合わせるようにすればよい。
【０１２９】
但し、樹脂成形品である左右の分割ケース体では、金属成形品に比較して寸法ばらつきがかなり大きいので、上記先端部同士を正確に突き合わせ嵌合させることが難しい。それ故、上記先端部同士の間にあえて若干量の隙間が生じるように、左右分割の第１仕切り板２２、第２仕切り板２３および空気ガイド板２６の寸法を設定し、嵌合ずれ等により生じる微小隙間に起因する異音を防止する設計とするのが実際的である。
【０１３０】
次に、上記構成において本実施形態の作動を説明する。図１（ａ）はバイレベルモード時であり、吹出モード切替用のフィルムドア２１が、両吹出開口部１９、２０を同時に開口するバイレベルモード位置に操作されている。また、両エアミックスドア１７、１８はそれぞれ実線で示す最大冷房位置に操作され、加熱用熱交換器１４の上流側空間部１６が全閉され、かつ、冷風通路１５が全開される。
【０１３１】
従って、送風機部１２の送風ファン１２ａおよび図示しない冷凍サイクルの圧縮機を作動させると、送風ファン１２ａの送風空気が冷却用熱交換器１３で冷却されて冷風となる。この冷風の全量が冷風通路１５を通過して（加熱用熱交換器１４をバイパスして）両吹出開口部１９、２０へ向かう。
【０１３２】
ここで、本実施形態では加熱用熱交換器１４の温水通路に温水弁を設けていないので、最大冷房時にも加熱用熱交換器１４に温水が循環する。しかも、加熱用熱交換器１４の吹出直後にフット吹出開口部１９を直接対向配置しているので、加熱用熱交換器１４で加熱された暖気による最大冷房性能の低下が懸念されるが、本実施形態によると、以下述べる工夫によって最大冷房性能を良好に確保できる。
【０１３３】
すなわち、加熱用熱交換器１４の吹出直後の下流側空間を第２仕切り板２３により冷風通路１５側の領域２４と反冷風通路１５側の領域２５とに仕切っており、しかも、領域２５は第２仕切り板２３とフィルムドア２１の膜部２１ｄとによりフット吹出開口部１９へ向かう冷風流れｊから実質的に遮断される。
【０１３４】
このため、行き止まり空間をなす領域２５に冷風が流れ込んで、領域２５の静圧を高めるという現象が起きない。これにより、領域２５と領域２４間の静圧差が小さくなる。
【０１３５】
これに加え、第１仕切り板２２および第２仕切り板２３により加熱用熱交換器１４の上流側空間部１６および加熱用熱交換器１４の吹出直後の下流側空間をそれぞれ加熱用熱交換器１４と冷風通路１５の配置方向Ｘの２つの領域１６ａ、１６ｂ、２４、２５に仕切っているから、図１０にて説明した領域Ａ、Ｂ、Ｃ間を循環する空気流れｃ、すなわち、暖気の流れの発生を抑制できる。
【０１３６】
一方、加熱用熱交換器１４の吹出直後の下流側空間のうち、冷風通路１５側の領域２４においては、コア部１２ｃで加熱された暖気が自然対流にてもやつく現象（図１１の矢印ｄ参照）が発生するが、本実施形態によると、第２仕切り板２３の仕切り作用により反冷風通路１５側の領域２５への冷風の流れ込みを防止すると同時に、空気ガイド板２６によって冷風通路１５からの冷風を加熱用熱交換器１４のコア面下流側から離して、フット吹出開口部１９側へ向かうようにガイドする。
【０１３７】
これにより、加熱用熱交換器１４のコア面下流側をかき乱す空気流れｅ（図１１参照）の発生を抑制できる。そのため、自然対流による暖気のもやつきｄが冷風通路１５からの冷風と混合することを効果的に抑制できる。
【０１３８】
以上のようにして、本実施形態では加熱用熱交換器１４の上流側および下流側の空間相互間の静圧差による循環空気流れ（暖気の流れ）を抑制できるとともに、自然対流による暖気の混入を抑制できるので、バイレベルモード時の最大冷房状態におけるフット吹出温度の上昇を抑えて最大冷房性能を確保できる。
【０１３９】
図１３において、太実線（３）は本実施形態によるフット吹出温度を示す。この太実線（３）から理解されるように本実施形態によるとフット吹出温度を最大冷房状態では細線（２）で示すフェイス吹出温度近傍まで低下でき、これにより、最大冷房性能を良好に発揮できる。
【０１４０】
なお、第１仕切板２２により仕切られた冷風通路１５側の領域１６ａと第２仕切り板２３により仕切られた冷風通路１５側の領域２４との間を循環する空気流れが生じることがあるが、この空気流れは図１０の空気流れｃに比較して大幅に少ない量であるから、最大冷房性能にとって大きな支障とならない。
【０１４１】
ところで、本実施形態では、加熱用熱交換器１４のチューブ１４ａの長手方向を加熱用熱交換器１４と冷風通路１５の配置方向Ｘと直交する方向（車両左右方向）にしているので、第１仕切板２２および第２仕切り板２３の板形状の先端部をそれぞれチューブ１４ａの長手方向の表面に沿って配置できる。
【０１４２】
これにより、第１仕切板２２および第２仕切り板２３の板形状とチューブ１４ａの長手方向形状との共同作用により加熱用熱交換器１４上流側および下流側の空間をそれぞれ良好に仕切ることができる。
【０１４３】
また、本実施形態では、加熱用熱交換器１４の長手方向（車両前後方向）の中心線Ｙによりも、第１仕切り板２２の他端部（上端部）を若干量だけ車両前方側に位置させ、これに対し、第２仕切り板２３の他端部（下端部）を、加熱用熱交換器１４の中心線Ｙよりも若干量だけ車両後方側に位置させている。
【０１４４】
これにより、第２仕切り板２３と第１仕切り板２２とは、加熱用熱交換器１４を挟んで加熱用熱交換器１４の長手方向において所定量ラップした配置関係になっている。
【０１４５】
これによると、２つの仕切り板２２、２３の寸法ばらつきが多少発生しても、寸法ばらつきが所定量以内であれば、２つの仕切り板２２、２３の先端部相互間のラップ配置状態を維持できる。その結果、寸法ばらつきの影響を受けることなく、加熱用熱交換器１４の上流側および下流側の空間を確実に仕切ることができる。
【０１４６】
因みに、第１仕切り板２２の上端部と第２仕切り板２３の下端部をともに中心線Ｙ上に配置するように設定して、上記のようなラップ配置を採用しない場合は、両仕切り板２２、２３の寸法ばらつきの影響を受けて、２つの仕切り板２２、２３の先端部相互間（中心線Ｙ付近）に空気が流通可能な領域を発生しやすく、これにより、仕切り作用を悪化させる。
【０１４７】
次に、図２はフェイスモードの最大冷房時であり、吹出モード切替用のフィルムドア２１の開口窓部２１ａがフェイス吹出開口部２０と全面的に重合する位置に操作されフェイス吹出開口部２０を全開する。これに対し、フット吹出開口部１９はフィルムドア２１の膜部２１ｄによって全閉される。
【０１４８】
一方、両エアミックスドア１７、１８はバイレベルモード時と同様に、加熱用熱交換器１４の上流側空間部１６を全閉し、かつ、冷風通路１５を全開する最大冷房位置に操作されている。
【０１４９】
このフェイスモードの最大冷房時には、冷風通路１５からの冷風がフェイス吹出開口部２０に向かってほぼ直進して流れる。換言すると、冷風が加熱用熱交換器１４の吹出下流側へ傾斜して流れることがない。
【０１５０】
その結果、最大冷房時にも加熱用熱交換器１４に温水が常時循環するシステム（加熱用熱交換器１４の温水通路に温水弁を設置しないシステム）においても、加熱用熱交換器１４で加熱された暖気が冷風流れに混入する程度が僅少となる。それ故、フェイスモード時には、最大冷房性能を確保できないという課題は本来発生しない。
【０１５１】
次に、図３はフットモードの最大暖房時であり、吹出モード切替用のフィルムドア２１の開口窓部２１ａがフット吹出開口部１９と全面的に重合する位置に操作されフット吹出開口部１９を全開する。これに対し、フェイス吹出開口部２０はフィルムドア２１の膜部２１ｅによって全閉される。
【０１５２】
一方、両エアミックスドア１７、１８は、加熱用熱交換器１４の上流側空間部１６を全開し、かつ、冷風通路１５を全閉する最大暖房位置に操作される。これにより、冷却用熱交換器１３を通過した空気（冷風）の全量が上流側空間部１６から加熱用熱交換器１４のコア部１４ｃに流入して加熱され温風となる。
【０１５３】
この温風がフット吹出開口部１９を通過して車室内の乗員足元側へ吹き出して車室内を暖房する。この際、第１仕切り板２２は温風側エアミックスドア１７の最大暖房位置と略平行に配置されているので、上流側空間部１６の通風抵抗をほとんど増加しない。また、第２仕切り板２３は加熱用熱交換器１４の吹出側からフット吹出開口部１９へ向かう温風流れと略平行に配置されているので、加熱用熱交換器１４の吹出側の通風抵抗もほとんど増加しない。
【０１５４】
そして、最大暖房時にはフィルムドア２１の開口窓部２１ａがフット吹出開口部１９を全面的に開口するので、領域２５も温風流れの流路となる。換言すると、領域２５が行き止まり空間とならない。従って、加熱用熱交換器１４のコア部１４ｃ全体を利用して空気を加熱でき、その加熱空気（温風）を小さい通風抵抗でもってフット吹出開口部１９へ送り込むことができる。
【０１５５】
以上により、第１、第２仕切り板２２、２３を設置しても、最大暖房性能を何ら支障なく良好に発揮できる。
【０１５６】
なお、フェイスモード時およびバイレベルモード時には、フィルムドア２１の膜部２１ｅと第２仕切り板２３との共同作用にて領域２５が遮断され、領域２５が行き止まり空間となるので、加熱用熱交換器１４のコア部１４ｃのうち、領域２５側の部分は空気の加熱部として実質上作用せず、領域２４側の部分のみが空気の加熱部として作用することになる。
【０１５７】
しかし、フェイスモードおよびバイレベルモードは基本的に暖房の必要性の低い条件下で使用されるので、最大暖房性能の発揮が必要とされない。そのため、フェイスモード時およびバイレベルモード時に領域２５が行き止まり空間となっても実用上支障はない。
【０１５８】
（第２実施形態）
第１実施形態では、加熱用熱交換器１４の空気流れ上流側および下流側の両方に仕切り板２２、２３を設置しているが、第２実施形態では、図４に示すように加熱用熱交換器１４の空気流れ上流側の仕切り板２２を廃止し、加熱用熱交換器１４の空気流れ下流側のみに仕切り板２３を設置している。図４は図１（ａ）と同様にバイレベルモードの最大最大冷房状態を示す。
【０１５９】
第２実施形態によると、図１１で説明した最大冷房性能低下の第２要因を主に抑制できる。すなわち、第２実施形態では加熱用熱交換器１４の空気流れ下流側のみに仕切り板２３を設置して、加熱用熱交換器１４の吹出直後の下流側空間を冷風通路１５側の領域２４と反冷風通路１５側の領域２５とに仕切るから、この反冷風通路１５側の領域２５へ冷風が流れ込むことを防止する。これと同時に、空気ガイド板２６によって冷風通路１５からの冷風を加熱用熱交換器１４のコア面下流側から離してフット吹出開口部１９側へ向かうようにガイドする。
【０１６０】
これにより、加熱用熱交換器１４のコア面下流側をかき乱す空気流れｅ（図１１参照）の発生を抑制できる。そのため、自然対流による暖気のもやつきｄが冷風通路１５からフット吹出開口部１９へ向かう冷風流れｊと混合することを効果的に抑制できる。つまり、自然対流による暖気が冷風流れと混合してフット吹出空気温度を上昇させるという第２要因を抑制できる。
【０１６１】
また、第２実施形態によると、仕切り板２３の仕切り作用によって冷風が反冷風通路１５側の領域２５へ流れ込むことを防止するから、この反冷風通路１５側の領域２５（図１０の領域Ａに相当）の静圧が上昇することを抑制する。
【０１６２】
このため、反冷風通路１５側の領域２５と冷風通路１５側の領域２４との静圧差を減少できるので、加熱用熱交換器１４の空気流れ上流側の仕切り板２２を廃止しても、図１０の循環空気流ｃを抑制できる。
【０１６３】
従って、第２実施形態では、加熱用熱交換器１４の空気流れ前後の静圧差に起因する図１０の循環空気流ｃに基づく最大冷房性能低下の第１要因もある程度抑制できる。
【０１６４】
（第３実施形態）
第１実施形態では、加熱用熱交換器１４の空気流れ上流側および下流側の両方に仕切り板２２、２３を設置しているが、第３実施形態では、図５に示すように加熱用熱交換器１４の空気流れ下流側の仕切り板２３を廃止し、加熱用熱交換器１４の空気流れ上流側のみに仕切り板２２を設置している。
【０１６５】
第３実施形態によると、図１０で説明した最大冷房性能低下の第１要因を抑制できる。すなわち、第３実施形態では加熱用熱交換器１４の空気流れ上流側に仕切り板２２を設置して、加熱用熱交換器１４の上流側空間部１６を冷風通路１５側の領域１６ａと反冷風通路１５側の領域１６ｂとに仕切っているから、上流側空間部１６のうち反冷風通路１５側の領域１６ｂと、加熱用熱交換器１４の下流側空間のうち冷風通路１５側の領域２４との連通が遮断される。
【０１６６】
このため、上流側空間部１６のうち反冷風通路１５側の領域１６ｂの静圧が加熱用熱交換器１４の吹出直後の空間のうち反冷風通路１５側の領域２５の静圧に近づくので、この両領域１６ｂ、２５間の静圧差が図１０の空調装置と比較して減少する。
【０１６７】
従って、この静圧差に起因する領域２５から加熱用熱交換器１４のコア部１４ｃを通過して領域１６ｂ側へ向かう空気（暖気）流れが減少する。そして、領域１６ｂから領域１６ａおよび加熱用熱交換器１４のコア部１４ｃを通過して領域２４側へ向かう空気（暖気）流れも仕切り板２２の仕切り作用によって減少する。
【０１６８】
更に、空気ガイド板２６によって冷風通路１５からの冷風を加熱用熱交換器１４のコア面下流側から離してフット吹出開口部１９側へ向かうようにガイドする。
【０１６９】
以上により、加熱用熱交換器１４の空気流れ上流側、下流側間の静圧差に起因する空気（暖気）流れが冷風流れと混合してフット吹出空気温度を上昇させるという第１要因を抑制できる。
【０１７０】
（第４実施形態）
図６は第４実施形態を示すもので、第３実施形態の一部を変更するものである。第４実施形態では、加熱用熱交換器１４の吹出直後の下流側空間にフィルムドア２１を設置せず、フィルムドア２１のバイレベルモード時の開口窓部２１ａの開口範囲に相当する１つの吹出開口部２７を設置している。
【０１７１】
この吹出開口部２７の下流側に前述の吹出開口部１９、２０に相当する複数の吹出開口部（図示せず）を設け、この複数の吹出開口部を前述のフィルムドア２１に相当する吹出モード切替用ドア手段（図示せず）により開閉するようになっている。このドア手段は具体的には、フィルムドア等のスライドドアが装置小型化のために好ましい。
【０１７２】
吹出開口部２７は、冷風通路１５と加熱用熱交換器１４の配置方向Ｘにおいて中央寄り部位に配置され、そして、この吹出開口部２７の両側、すなわち、配置方向Ｘの両側には固定壁２８、２９が配置されている。この固定壁２８、２９は空調ケース１１に一体成形される。
【０１７３】
一方（車両後方側）の固定壁２８は冷風通路１５に対向し、他方（車両前方側）の固定壁２９は加熱用熱交換器１４の下流側コア面のうち反冷風通路１５側の部分に対向する。この固定壁２９の形成によって、加熱用熱交換器１４の吹出直後の下流側空間のうち反冷風通路１５側の領域２５は行き止まり空間となる。また、冷風通路１５から吹出開口部２７へ向かう冷風流れｊの主流は加熱用熱交換器１４側へ傾いた状態で流れる。
【０１７４】
このため、第４実施形態の空調装置においても、最大冷房時には、冷風通路１５から吹出開口部２７へ向かう冷風流れｊに加熱用熱交換器１４からの暖気が混合して、吹出空気温度を上昇し、最大冷房性能を低下させることが問題となる。
【０１７５】
そこで、第４実施形態では、第３実施形態と同様に、加熱用熱交換器１４の上流側空間１６に仕切り板２２を設けるとともに、加熱用熱交換器１４の下流側部位のうち冷風通路１５側の端部近傍に空気ガイド板２６を設けて、最大冷房性能の低下を抑制している。
【０１７６】
（第５実施形態）
第１実施形態では、吹出空気温度を調整するエアミックスドアとして、温風側エアミックスドア１７と冷風側エアミックスドア１８との２枚のドアを用いているが、第５実施形態では、図７に示すように吹出空気温度を調整するエアミックスドアとして、１枚の平板状エアミックスドア３０を用いている。このエアミックスドア３０はドア端部に回転軸３０ａを有する片持ちドアにて構成されている。
【０１７７】
第５実施形態においても、第１、第２仕切板２２、２３および空気ガイド２６を設けることにより、第１実施形態と同様に、バイレベルモード時の最大冷房性能の低下を抑制できる。
【０１７８】
（第６実施形態）
第１〜第５実施形態では、加熱用熱交換器１４の温水通路に温水弁を設置していないので、車両エンジン（図示せず）の作動時には車両エンジンの温水（冷却水）が加熱用熱交換器１４に常時循環するようになっている。従って、第１〜第５実施形態では、最大冷房時にも温水が加熱用熱交換器１４に循環するようになっている。
【０１７９】
これに対し、第６実施形態は加熱用熱交換器１４の温水通路に温水流れを断続する温水弁を設置する空調装置に関する。図８は第６実施形態を示すもので、図８（ｂ）に示すように温水弁３１を加熱用熱交換器１４の温水通路に設置した点が第１実施形態と相違している。なお、第６実施形態の空調ユニット部１０は図８（ａ）に示すように第１実施形態の空調ユニット部１０と同じ構成である。
【０１８０】
温水弁３１は加熱用熱交換器１４の入口側温水通路に設置され、この入口側温水通路を開閉する弁機構３１ａと、この弁機構３１ａを駆動する弁駆動機構３１ｂとから構成される。この弁駆動機構３１ｂは、具体的には、サーボモータ等の電気アクチュエータで構成され、空調制御装置３２により制御される。
【０１８１】
両エアミックスドア１７、１８は図８（ｂ）に示すように共通のドア駆動機構３３を有し、このドア駆動機構３３はリンク機構等を介して回転軸１７ａ、１８ａに連結され、ドア駆動機構３３によって両エアミックスドア１７、１８を連動して回転操作する。ドア駆動機構３３もサーボモータ等の電気アクチュエータで構成される。
【０１８２】
そして、両エアミックスドア１７、１８のドア駆動機構３３と、温水弁３１の弁駆動機構３１ｂはともに空調制御装置３２により制御するようになっている。ここで、空調制御装置３２はマイクロコンピュータを用いた周知のものであり、車室内吹出空気の目標吹出温度ＴＡＯ、両エアミックスドア１７、１８の目標開度ＳＷ等を算出して各種空調機器の作動を制御する。
【０１８３】
第６実施形態では、空調制御装置３２の制御出力により両エアミックスドア１７、１８が最大冷房位置以外の位置（温度制御域および最大暖房位置）に回転操作されているときは、空調制御装置３２の制御出力により温水弁３１の弁機構３１ａが開弁状態に維持される。そのため、加熱用熱交換器１４には温水が循環して、加熱用熱交換器１４は温水を熱源として空気を加熱する。
【０１８４】
これに対し、空調制御装置３２の制御出力により両エアミックスドア１７、１８が最大冷房位置に回転操作されると、これに連動して空調制御装置３２の制御出力により温水弁３１の弁機構３１ａが閉弁状態に移行する。
【０１８５】
これによって、最大冷房時には加熱用熱交換器１４への温水流れが遮断されるので、加熱用熱交換器１４の空気加熱作用が停止状態となる。この結果、冷風の再熱を阻止して最大冷房性能を確実に発揮できる。
【０１８６】
しかも、最大冷房状態近傍の温度制御域においても、冷風に対する温風の混合割合が過度に増加することを第１、第２仕切板２２、２３の設置によって抑制できるので、最大冷房状態近傍の温度制御域でフット吹出温度を急変させることなくスムースに変化させることができる（図１３の太実線（３）のフット吹出温度参照）。
【０１８７】
なお、第６実施形態では、第１実施形態の構成に温水弁３１を組み合わせる例について説明したが、第２〜第５実施形態の構成に温水弁３１を組み合わせてもよいことはもちろんである。
【０１８８】
また、第６実施形態では、空調制御装置３２の制御出力により温水弁３１を最大冷房時に閉弁するようにしているが、温水弁３１を両エアミックスドア１７、１８に機械的連動機構を介して連結し、これにより、温水弁３１を最大冷房時に閉弁するようにしてよい。
【０１８９】
（他の実施形態）
本発明は上述した実施形態に限定されることなく、以下に例示するように種々変形可能である。
【０１９０】
（１）上述した実施形態では、吹出開口部としてフット吹出開口部１９およびフェイス吹出開口部２０を有する後席側の室内空調ユニット部１０について説明したが、吹出開口部として、フット吹出開口部およびフェイス吹出開口部の他にデフロスタ吹出開口部を有する前席側の室内空調ユニット部（図９参照）に本発明を適用してもよい。
【０１９１】
（２）上述した実施形態では、複数の吹出開口部１９、２０を開閉する吹出モードドアとして、両端部が巻き取り軸２１ｂ、２１ｃに連結されたフィルムドア２１を用いているが、フィルムドア２１の代わりに特開２００２−０７９８１９号公報に記載されているフレキシブルスライドドアを用いてもよい。
【０１９２】
このフレキシブルスライドドアは、可撓性を有するフィルム部材の一部にドア駆動力を伝達して、フィルム部材を空調ケース側に設けたガイド部によりガイドして移動させるものである。
【０１９３】
また、吹出モードドアとして、本発明者が先に出願した特願２００４−２６５３２５にて提案している積層式スライドドアを用いてもよい。この積層式スライドドアでは、複数の吹出開口部に向かって流れる空気流れの方向に複数枚の薄板部材を積層配置し、この複数枚の薄板部材には空気通過用の開口部と、この開口部のドア移動方向の両側部には通路遮蔽部分を設け、複数枚の薄板部材における開口部と通路遮蔽部分の移動により複数の吹出開口部を開閉する。
【０１９４】
（３）上述した実施形態では、温風側エアミックスドア１７、冷風側エアミックスドア１８、および冷温風の流れ制御用の１枚のエアミックスドア３０をいずれも平板状ドアで構成しているが、エアミックスドアを吹出モードドアと同様にフィルムドア、フレキシブルスライドドア、積層式スライドドア等からなるスライドドアで構成してもよい。
【０１９５】
（４）上述した実施形態では、第１、第２仕切板２２、２３をそれぞれ１枚ずつ設けているが、第１、第２仕切板２２、２３をそれぞれ複数枚設けるようにしてもよい。これによると、仕切り空間の容積がより小さくなって、最大冷房性能の低下抑制効果を一層向上できる。
【０１９６】
（５）上述した実施形態では、加熱用熱交換器１４を略水平方向に配置する例について説明したが、加熱用熱交換器１４を略鉛直方向に配置する場合等においても本発明は同様に実施できる。
【図面の簡単な説明】
【０１９７】
【図１】（ａ）は本発明の第１実施形態を示す室内空調ユニット部の断面図で、バイレベルモードの最大冷房状態を示す。（ｂ）は第１実施形態の加熱用熱交換器の正面図である。
【図２】第１実施形態のフェイスモードの最大冷房状態を示す断面図である。
【図３】第１実施形態のフットモードの最大暖房状態を示す断面図である。
【図４】第２実施形態を示す室内空調ユニット部の断面図である。
【図５】第３実施形態を示す室内空調ユニット部の断面図である。
【図６】第４実施形態を示す室内空調ユニット部の断面図である。
【図７】第５実施形態を示す室内空調ユニット部の概略断面図である。
【図８】（ａ）は本発明の第６実施形態を示す室内空調ユニット部の断面図で、バイレベルモードの最大冷房状態を示す。（ｂ）は第６実施形態の加熱用熱交換器の正面図である。
【図９】従来の室内空調ユニット部を示す断面図である。
【図１０】本発明者の試作品における最大冷房性能低下の第１要因を説明する断面図である。
【図１１】本発明者の試作品における最大冷房性能低下の第２要因を説明する断面図である。
【図１２】本発明者の試作品におけるバイレベルモード時の冷風流れ形態を説明する概略断面図である。
【図１３】バイレベルモード時の吹出温度の制御特性図である。
【符号の説明】
【０１９８】
１３…冷却用熱交換器、１４…加熱用熱交換器、１５…冷風通路、
１６…空気流れ上流側空間部、１７、１８、３０…エアミックスドア（温度調整手段）、１９…フット吹出開口部、２１…フィルムドア（ドア手段）、２１ａ…開口窓部、
２１ｄ…膜部（壁部）、２２、２３…仕切り板、１６ａ、１６ｂ、２４、２５…領域。
【図１】
0004600187.tif 000002
【図２】
0004600187.tif 000003
【図３】
0004600187.tif 000004
【図４】
0004600187.tif 000005
【図５】
0004600187.tif 000006
【図６】
0004600187.tif 000007
【図７】
0004600187.tif 000008
【図８】
0004600187.tif 000009
【図９】
0004600187.tif 000010
【図１０】
0004600187.tif 000011
【図１１】
0004600187.tif 000012
【図１２】
0004600187.tif 000013
【図１３】
0004600187.tif 000014